(57)【要約】【課題】  球皿装置の皿部の外周を球皿用カバー部材で囲い、そのカバー部材に音源に連通する透音部を設けてなる遊技機があるが、従来は前記透音部が小さく且つ一個しかないため、音の広がりが少なく音響効果に乏しい問題点があった。【解決手段】  裏側が空洞であるカバー部材５ｂを正面側に配設してなる遊技機Ｐにおいて、前記カバー部材５ｂに、空洞のスペース９を介して音源６と連通する透音部１０Ｒ，１０Ｌを位置を違えて複数個形成すると共に、音源６に近い方の透音部１０Ｌを小面積にし、遠い方の透音部１０Ｒを大面積にしてなる。この遊技機Ｐは、カバー部材５ｂに、音源６と連通する透音部１０Ｒ，１０Ｌを位置を違えて複数個形成したため音が広範囲に広がり、また、透音部１０Ｒ，１０Ｌの大小により音源６と透音部１０Ｒ，１０Ｌの遠近差に起因する音量の不均衡が改善され、ボリュームバランスがよい。【選択図】        図３
2005095676.tif 000002
【特許請求の範囲】
【請求項１】
裏側が空洞であるカバー部材を正面側に配設してなる遊技機において、
前記カバー部材に、空洞のスペースを介して音源と連通する透音部を位置を違えて複数個形成してなることを特徴とする遊技機。
【発明の詳細な説明】
【技術分野】
【０００１】
本発明は、音響機能を備えた遊技機に関する。
【背景技術】
【０００２】
上記音響機能を備えた遊技機として例えば実公平３−３０１３７号がある。この技術はパチンコ機に関するものであり、球皿装置の皿部の外周を球皿用のカバー部材で囲い、そのカバー部材に音源（スピーカー）に連通する透音部が設けてある。
【特許文献１】実公平３−３０１３７号公報
【発明の開示】
【発明が解決しようとする課題】
【０００３】
従来、前記透音部は小さなものが一個しかないため、音の広がりが少なく、音響効果に乏しい問題点があった。
【課題を解決するための手段】
【０００４】
本発明は上記に鑑みなされたもので、裏側が空洞であるカバー部材を正面側に配設してなる遊技機において、前記カバー部材に、空洞のスペースを介して音源と連通する透音部を位置を違えて複数個形成してなる遊技機を提供する。
【０００５】
カバー部材に、空洞のスペースを介して音源と連通する透音部を位置を違えて複数個形成したため、音が広範囲に広がる。また、各透音部は互いに独立した状態になるから、カバー部材が合成樹脂の成型品で薄肉構造であっても、歪みや破損のおそれがない十分な剛性が確保できる。
【発明の効果】
【０００６】
本発明の遊技機は、カバー部材に、空洞のスペースを介して音源と連通する透音部を位置を違えて複数個形成したため、音が広範囲に広がり、遊技者の聞き耳や姿勢の如何に関わらず聞き易さが向上する。しかも複数個の透音部は独立した状態になるから、カバー部材が合成樹脂の成型品で薄肉構造であっても、一個の透音部をワイド化する場合に比べて、歪みや破損のおそれがない十分な剛性が確保できる。また、カバー部材の空洞のスペースを共鳴しやすい形状にする等の工夫を施せば、遊技効果音に従来にない変化を持たせることができる。
【発明を実施するための最良の形態】
【０００７】
以下に本発明の実施の形態をパチンコ機を例示しつつ説明する。なお、図１はパチンコ機の正面図、図２は要部を示す縦断面図、図３〜図６は他の形態を示すパチンコ機の要部正面図、図７は透音部を拡大して示す要部斜視図、図８は他の形態を示すパチンコ機の正面図である。
【０００８】
図１に示したように、パチンコ機Ｐの正面には開閉自在な前枠１があり、その前枠１に、遊技板２の遊技領域をカバーするようにガラス扉枠３が、また、そのガラス扉枠３の下側に前面板４が開閉自在な状態で取り付けられている。そしてその前面板４に上球皿ユニット５が設けられている。
【０００９】
前記上球皿ユニット５はパチンコ球を受け入れて貯留しそのパチンコ球を打球自動供給装置（図示せず）に供給するためのものであり、パチンコ球を受け入れる皿部５ａの外周を合成樹脂製のカバー部材５ｂで囲ってなる。カバー部材５ｂは薄肉の殻構造であって裏側が空洞になっている。なお、カバー部材５ｂは、単体構造と、二以上の構成部品を継ぎ合わせる分割構造の何れでもよい。
【００１０】
前記上球皿ユニット５には音源であるスピーカー６が一体又は別体で付属している。図示した実施形態は後者に属し、スピーカー６が、前枠１と一体の下部遊技板２にホルダー７を介して取り付けられている。そして、前面板４の前記スピーカー６に対向する位置にスピーカー用開口８が設けてあり、そのスピーカー用開口８を通ってスピーカー６から出る音がカバー部材５ｂ内の空洞のスペース９に入る。なお、音源は、上球皿ユニット５と一体、すなわち前面板４に直接固着するか或いはカバー部材５ｂの内部に組み込むようにしてもよい。
【００１１】
しかして、前記カバー部材５ｂには、図１に示したように底面側の両横に二個の透音部１０Ｒ，１０Ｌが形成してある。この二個の透音部１０Ｒ，１０Ｌは多数のスリット１１，１１…を集合させた形態であり、各透音部１０Ｒ，１０Ｌ同士がほぼ同形である。前記のようにカバー部材５ｂは内部が空洞になっているから、音源であるスピーカー６と透音部１０Ｒ，１０Ｌは、空洞のスペース９を介して連通した状態になっている。
【００１２】
なお、透音部１０Ｒ，１０Ｌの形態は自由であって、図１に示したスリット１１，１１…の集合体の他、小孔（角孔、円孔など）の集合体であってもよい。そして、透音部１０Ｒ，１０Ｌが前記スリット１１，１１…や小孔で形成されている場合、一つのまとまりを有する集合単位をもって一個とする。
【００１３】
本発明のパチンコ機（遊技機）は以上のように構成されているため、スピーカー６から出る遊技用の効果音等が前面板４のスピーカー用開口８を通ってカバー部材５ｂの空洞のスペース９に入り、透音部１０Ｒ，１０Ｌから外部に流れる。透音部１０Ｒ，１０Ｌは横方向に位置が違えてあるから、音は広範囲に広がってステレオ（立体的）状態に聞こえる。従って、遊技者の聞き耳や姿勢に関わらず、効果音が聞き易くなる。
【００１４】
以上本発明を実施の形態について説明したが、もちろん本発明は上記実施形態に限定されるものではない。例えば、実施形態では透音部１０Ｒ，１０Ｌの大きさ・形状を同じに設定したが、図３に示したように音源（スピーカー６）に近い方の透音部１０Ｌを小面積にして放出音量を抑制し、逆に遠い方の透音部１０Ｒを大面積にして放出音量を高めるようにしてもよい。そうすることにより、音源と透音部１０Ｒ，１０Ｌの遠近差に起因する音量の不均衡が改善され、ボリュームバランスがよくなる。また、図７に示したように透音部１０Ｒ，１０Ｌの前面又は後面にその透音部１０Ｒ，１０Ｌの開口面積を調節する着脱式或いは可変式（スライド、回転など）のボリューム調節板１００を設けるようにしてもよい。この場合は、遊技場や遊技客の好みに応じてボリューム調整が可能になる。なお、図７はボリューム調節板１００をスライド式にした例を示したものであって、ボリューム調節板１００に突設した摘み部１０１をカバー部材５ｂの前面にスライドガイド孔１０２を介して突出させ、その摘み部１０１を操作して透音部１０Ｒ，１０Ｌの開口面積を任意に調節する。
【００１５】
また、実施形態ではカバー部材５ｂの内部を単純な空洞のスペース９としたが、音源と透音部１０Ｒ，１０Ｌを音用通路（図２，図４中、符号１２参照）で繋ぐようにしてもよい。そうすることによりスピーカー６の音が効率よく透音部１０Ｒ，１０Ｌに伝わる。また、図４に示したように音源（スピーカー６）を二個設置し、各音源と二個の透音部１０Ｒ，１０Ｌをそれぞれ専用の音用通路１２で繋ぐようにすれば、左右の透音部１０Ｒ，１０Ｌから別々の音を発することが可能になるから、例えば遊技用表示装置の画像の動きに合わせて音も移動するようにする等、本格的なステレオ効果が演出できる。また、図５に示したように、カバー部材５ｂの内部に空洞のスペース９を仕切る仕切板１３を設けて透音部１０Ｒと透音部１０Ｌを独立させ、それぞれの透音部１０Ｒ，１０Ｌに対応させてスピーカー６を二個設けるようにしても、上記と同様の本格的なステレオ効果が得られる。
【００１６】
また、実施形態では透音部１０Ｒ，１０Ｌをカバー部材５ｂの底面に形成したが、図６に示したようにカバー部材５ｂの側面に形成してもよい。また、実施形態では透音部１０Ｒ，１０Ｌをカバー部材５ｂの両端に寄せたが、透音部１０Ｒ，１０Ｌ同士を隣接させてもよい。また、実施形態では透音部１０Ｒ，１０Ｌを二個形成したが、三個以上の複数個であってもよい。また、実施形態では透音部１０Ｒ，１０Ｌを同一水平線上に並べたが、そのように限定する必要はなく、例えば透音部１０Ｒを図１の位置に、透音部１０Ｌを図６の位置に配置するようにしてもよい。
【００１７】
また、実施形態ではカバー部材として上球皿ユニット５のものを例示したが、図８に示したようにガラス扉枠３又は下球皿ユニット１４のカバー部材３ａ，１４ａに透音部１０Ｘ又は透音部１０Ｙを設けるようにしてもよい。この場合、音源は、ガラス扉枠３又は下球皿ユニット１４に付属させればよいが、図１のように上球皿ユニット５に組み込むこともできる。音源を上球皿ユニット５に組み込んだ場合は、カバー部材５ｂとカバー部材３ａ又はカバー部材５ｂとカバー部材１４ａの各スペース９を相互に連通させて透音部１０Ｘ又は透音部１０Ｙに繋げる。この構造は、ガラス扉枠３のようにスペース９が狭い場合に特に有効である。なお、下球皿ユニット１４のカバー部材１４ａにおいて、図８のように透音部１０Ｙ，１０Ｙの間に灰皿１４ｂが介在する場合は、灰皿１４ｂのカバー部材１４０ｂのスペース９両端を開放してトンネル通路にすればよい。
【００１８】
また、実施形態においてガラス扉枠３、上球皿ユニット５、下球皿ユニット１４のカバー部材３ａ，５ｂ，１４ａは、実質的にパチンコ機の正面側にある一つのカバー部材ユニットと見ることができるから、例えば、図１の透音部１０Ｒと図８の透音部１０Ｘを混在させる、という具合に、複数の透音部１０Ｒ，１０Ｌ…は各カバー部材３ａ，５ｂ，１４ａ間に跨って設けてもよい。さらにまた、遊技機はパチンコ機に限定されるものではない。
【図面の簡単な説明】
【００１９】
【図１】パチンコ機の正面図である。
【図２】要部を示す縦断面図である。
【図３】パチンコ機の要部正面図である。
【図４】パチンコ機の要部正面図である。
【図５】パチンコ機の要部正面図である。
【図６】パチンコ機の要部正面図である。
【図７】透音部を拡大して示す断面図である。
【図８】パチンコ機の正面図である。
【符号の説明】
【００２０】
Ｐ…パチンコ機（遊技機）
３ａ，５ｂ，１４ａ…カバー部材
６…スピーカー（音源）
９…スペース
１０Ｒ，１０Ｌ，１０Ｘ，１０Ｙ…透音部
【図１】
2005095676.tif 000003
【図２】
2005095676.tif 000004
【図３】
2005095676.tif 000005
【図４】
2005095676.tif 000006
【図５】
2005095676.tif 000007
【図６】
2005095676.tif 000008
【図７】
2005095676.tif 000009
【図８】
2005095676.tif 000010
【手続補正書】
【提出日】平成17年1月7日(2005.1.7)
【手続補正１】
【補正対象書類名】特許請求の範囲
【補正対象項目名】全文
【補正方法】変更
【補正の内容】
【特許請求の範囲】
【請求項１】
裏側が空洞であるカバー部材を正面側に配設してなる遊技機において、
前記カバー部材に、空洞のスペースを介して音源と連通する透音部を位置を違えて複数個形成すると共に、音源に近い方の透音部を小面積にし、遠い方の透音部を大面積にしてなることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、音響機能を備えた遊技機に関する。
【背景技術】
【０００２】
上記音響機能を備えた遊技機として例えば実公平３−３０１３７号がある。この技術はパチンコ機に関するものであり、球皿装置の皿部の外周を球皿用のカバー部材で囲い、そのカバー部材に音源（スピーカー）に連通する透音部が設けてある。
【特許文献１】実公平３−３０１３７号公報
【発明の開示】
【発明が解決しようとする課題】
【０００３】
従来、前記透音部は小さなものが一個しかないため、音の広がりが少なく、音響効果に乏しい問題点があった。
【課題を解決するための手段】
【０００４】
本発明は上記に鑑みなされたもので、裏側が空洞であるカバー部材を正面側に配設してなる遊技機において、前記カバー部材に、空洞のスペースを介して音源と連通する透音部を位置を違えて複数個形成すると共に、音源に近い方の透音部を小面積にし、遠い方の透音部を大面積にしてなる遊技機を提供する。
【発明の効果】
【０００５】
本発明の遊技機は、カバー部材に、空洞のスペースを介して音源と連通する透音部を位置を違えて複数個形成したため、音が広範囲に広がり、遊技者の聞き耳や姿勢の如何に関わらず聞き易さが向上する。しかも複数個の透音部は独立した状態になるから、カバー部材が合成樹脂の成型品で薄肉構造であっても、一個の透音部をワイド化する場合に比べて、歪みや破損のおそれがない十分な剛性が確保できる。また、カバー部材の空洞のスペースを共鳴しやすい形状にする等の工夫を施せば、遊技効果音に従来にない変化を持たせることができる。
さらにまた、音源に近い方の透音部を小面積にし、逆に遠い方の透音部を大面積にしたことにより、音源と透音部の遠近差に起因する音量の不均衡が改善され、ボリュームバランスがよくなる効果がある。
【発明を実施するための最良の形態】
【０００６】
以下に本発明の実施の形態をパチンコ機を例示しつつ説明する。なお、図１はパチンコ機の正面図、図２は要部を示す縦断面図、図３〜図６は他の形態を示すパチンコ機の要部正面図、図７は透音部を拡大して示す要部斜視図、図８は他の形態を示すパチンコ機の正面図である。
【０００７】
図１に示したように、パチンコ機Ｐの正面には開閉自在な前枠１があり、その前枠１に、遊技板２の遊技領域をカバーするようにガラス扉枠３が、また、そのガラス扉枠３の下側に前面板４が開閉自在な状態で取り付けられている。そしてその前面板４に上球皿ユニット５が設けられている。
【０００８】
前記上球皿ユニット５はパチンコ球を受け入れて貯留しそのパチンコ球を打球自動供給装置（図示せず）に供給するためのものであり、パチンコ球を受け入れる皿部５ａの外周を合成樹脂製のカバー部材５ｂで囲ってなる。カバー部材５ｂは薄肉の殻構造であって裏側が空洞になっている。なお、カバー部材５ｂは、単体構造と、二以上の構成部品を継ぎ合わせる分割構造の何れでもよい。
【０００９】
前記上球皿ユニット５には音源であるスピーカー６が一体又は別体で付属している。図示した実施形態は後者に属し、スピーカー６が、前枠１と一体の下部遊技板２にホルダー７を介して取り付けられている。そして、前面板４の前記スピーカー６に対向する位置にスピーカー用開口８が設けてあり、そのスピーカー用開口８を通ってスピーカー６から出る音がカバー部材５ｂ内の空洞のスペース９に入る。なお、音源は、上球皿ユニット５と一体、すなわち前面板４に直接固着するか或いはカバー部材５ｂの内部に組み込むようにしてもよい。
【００１０】
しかして、前記カバー部材５ｂには、図３に示したように底面側の両横に二個の透音部１０Ｒ，１０Ｌが形成してある。この二個の透音部１０Ｒ，１０Ｌは多数のスリット１１，１１…を集合させた形態であり、音源（スピーカー６）に近い方の透音部１０Ｌを小面積にし、逆に遠い方の透音部１０Ｒを大面積にしてある。前記のようにカバー部材５ｂは内部が空洞になっているから、音源であるスピーカー６と透音部１０Ｒ，１０Ｌは、空洞のスペース９を介して連通した状態になっている。
【００１１】
なお、透音部１０Ｒ，１０Ｌの形態は自由であって、図１に示したスリット１１，１１…の集合体の他、小孔（角孔、円孔など）の集合体であってもよい。そして、透音部１０Ｒ，１０Ｌが前記スリット１１，１１…や小孔で形成されている場合、一つのまとまりを有する集合単位をもって一個とする。
【００１２】
本発明のパチンコ機（遊技機）は以上のように構成されているため、スピーカー６から出る遊技用の効果音等が前面板４のスピーカー用開口８を通ってカバー部材５ｂの空洞のスペース９に入り、透音部１０Ｒ，１０Ｌから外部に流れる。透音部１０Ｒ，１０Ｌは横方向に位置が違えてあるから、音は広範囲に広がってステレオ（立体的）状態に聞こえる。従って、遊技者の聞き耳や姿勢に関わらず、効果音が聞き易くなる。また、音源（スピーカー６）に近い方の透音部１０Ｌを小面積にして放出音量を抑制し、逆に遠い方の透音部１０Ｒを大面積にして放出音量を高めるようにしたため、音源と透音部１０Ｒ，１０Ｌの遠近差に起因する音量の不均衡が改善され、ボリュームバランスがよくなる。
【００１３】
以上本発明を実施の形態について説明したが、もちろん本発明は上記実施形態に限定されるものではない。例えば、図７に示したように透音部１０Ｒ，１０Ｌの前面又は後面にその透音部１０Ｒ，１０Ｌの開口面積を調節する着脱式或いは可変式（スライド、回転など）のボリューム調節板１００を設けるようにしてもよい。この場合は、遊技場や遊技客の好みに応じてボリューム調整が可能になる。なお、図７はボリューム調節板１００をスライド式にした例を示したものであって、ボリューム調節板１００に突設した摘み部１０１をカバー部材５ｂの前面にスライドガイド孔１０２を介して突出させ、その摘み部１０１を操作して透音部１０Ｒ，１０Ｌの開口面積を任意に調節する。
【００１４】
また、実施形態ではカバー部材５ｂの内部を単純な空洞のスペース９としたが、音源と透音部１０Ｒ，１０Ｌを音用通路（図２，図４中、符号１２参照）で繋ぐようにしてもよい。そうすることによりスピーカー６の音が効率よく透音部１０Ｒ，１０Ｌに伝わる。また、図４に示したように音源（スピーカー６）を二個設置し、各音源と二個の透音部１０Ｒ，１０Ｌをそれぞれ専用の音用通路１２で繋ぐようにすれば、左右の透音部１０Ｒ，１０Ｌから別々の音を発することが可能になるから、例えば遊技用表示装置の画像の動きに合わせて音も移動するようにする等、本格的なステレオ効果が演出できる。また、図５に示したように、カバー部材５ｂの内部に空洞のスペース９を仕切る仕切板１３を設けて透音部１０Ｒと透音部１０Ｌを独立させ、それぞれの透音部１０Ｒ，１０Ｌに対応させてスピーカー６を二個設けるようにしても、上記と同様の本格的なステレオ効果が得られる。
【００１５】
また、実施形態では透音部１０Ｒ，１０Ｌをカバー部材５ｂの底面に形成したが、図６に示したようにカバー部材５ｂの側面に形成してもよい。また、実施形態では透音部１０Ｒ，１０Ｌをカバー部材５ｂの両端に寄せたが、透音部１０Ｒ，１０Ｌ同士を隣接させてもよい。また、実施形態では透音部１０Ｒ，１０Ｌを二個形成したが、三個以上の複数個であってもよい。また、実施形態では透音部１０Ｒ，１０Ｌを同一水平線上に並べたが、そのように限定する必要はなく、例えば透音部１０Ｒを図１の位置に、透音部１０Ｌを図６の位置に配置するようにしてもよい。
【００１６】
また、実施形態ではカバー部材として上球皿ユニット５のものを例示したが、図８に示したようにガラス扉枠３又は下球皿ユニット１４のカバー部材３ａ，１４ａに透音部１０Ｘ又は透音部１０Ｙを設けるようにしてもよい。この場合、音源は、ガラス扉枠３又は下球皿ユニット１４に付属させればよいが、図１のように上球皿ユニット５に組み込むこともできる。音源を上球皿ユニット５に組み込んだ場合は、カバー部材５ｂとカバー部材３ａ又はカバー部材５ｂとカバー部材１４ａの各スペース９を相互に連通させて透音部１０Ｘ又は透音部１０Ｙに繋げる。この構造は、ガラス扉枠３のようにスペース９が狭い場合に特に有効である。なお、下球皿ユニット１４のカバー部材１４ａにおいて、図８のように透音部１０Ｙ，１０Ｙの間に灰皿１４ｂが介在する場合は、灰皿１４ｂのカバー部材１４０ｂのスペース９両端を開放してトンネル通路にすればよい。
【００１７】
また、実施形態においてガラス扉枠３、上球皿ユニット５、下球皿ユニット１４のカバー部材３ａ，５ｂ，１４ａは、実質的にパチンコ機の正面側にある一つのカバー部材ユニットと見ることができるから、例えば、図１の透音部１０Ｒと図８の透音部１０Ｘを混在させる、という具合に、複数の透音部１０Ｒ，１０Ｌ…は各カバー部材３ａ，５ｂ，１４ａ間に跨って設けてもよい。さらにまた、遊技機はパチンコ機に限定されるものではない。
【図面の簡単な説明】
【００１８】
【図１】パチンコ機の正面図である。
【図２】要部を示す縦断面図である。
【図３】パチンコ機の要部正面図である。
【図４】パチンコ機の要部正面図である。
【図５】パチンコ機の要部正面図である。
【図６】パチンコ機の要部正面図である。
【図７】透音部を拡大して示す断面図である。
【図８】パチンコ機の正面図である。
【符号の説明】
【００１９】
Ｐ…パチンコ機（遊技機）
３ａ，５ｂ，１４ａ…カバー部材
６…スピーカー（音源）
９…スペース
１０Ｒ，１０Ｌ，１０Ｘ，１０Ｙ…透音部